(57)【要約】【課題】  視覚的に意外性のある演出やインパクトのある演出を行うことが可能な弾球遊技機の提供。【解決手段】  弾球遊技機は、第１開口部５２と、第１凹面鏡部材６０と、第２凹面鏡部材６１と、表示対象物９５とを備える。第１開口部５２は、遊技盤の表面側と裏面側とを連通する。第１凹面鏡部材６０は、第１放射鏡面７０と孔部７１とを有し、孔部７１が第１開口部５２と近接する位置で遊技盤に対して固定される。第２凹面鏡部材６１は、第２放射鏡面７６を有し、第１凹面鏡部材６０に対して近接した第１位置と離間した第２位置との間を移動自在に設けられ、第１位置では第２放射鏡面７６が第１放射鏡面７０と相対向する。表示対象物９５は、第２凹面鏡部材６１の第２放射鏡面７６の底部に固定される。第２凹面鏡部材６１が第１位置であるときにのみ、表示対象物９５の立体像９６が遊技盤の盤面上の空間に写し出される。【選択図】  図８
2006223423.tif 000002
【特許請求の範囲】
【請求項１】
遊技盤の表面側に設けられる遊技領域に遊技球を発射して遊技する弾球遊技機であって、
前記遊技盤の表面側と裏面側とを連通する開口部と、
凹状の第１放射鏡面と該第１放射鏡面の底部に形成された孔部とを有し、前記遊技機の裏面側に配置され、前記孔部が前記開口部と近接する位置で前記遊技盤に対して固定される第１凹面鏡部材と、
凹状の第２放射鏡面を有し、前記第１凹面鏡部材に対して近接した第１位置と離間した第２位置との間を移動自在に前記遊技盤の裏面側に設けられ、前記第１位置では前記第２放射鏡面が前記第１放射鏡面と相対向する第２凹面鏡部材と、 
前記第２凹面鏡部材の第２放射鏡面の底部に固定された表示対象物と、を備え、
前記第１放射面鏡及び第２放射面鏡は、前記第２凹面鏡部材が前記第１位置にあるとき、前記遊技盤の表面側で且つ前記開口部の近傍の結像位置に前記表示対象物の像を写し出し、前記第２凹面鏡部材が前記第２位置にあるとき、前記結像位置に前記表示対象物の像を写し出さない
ことを特徴とする弾球遊技機。
【請求項２】
請求項１に記載の弾球遊技機であって、
前記第２凹面鏡部材の一端は、前記第１凹面鏡部材の一端に回転自在に連結され、
前記第２凹面鏡部材は、前記一端を中心とした回転移動により前記第１位置と前記第２位置との間を移動する
ことを特徴とする弾球遊技機。
【請求項３】
請求項１又は請求項２に記載の弾球遊技機であって、
前記開口部は、遊技機の進入を許容する入賞口である
ことを特徴とする弾球遊技機。
【請求項４】
請求項１〜請求項３の何れかに記載の弾球遊技機であって、
前記第２凹面鏡部材を移動させる駆動手段と、
前記駆動手段を制御する制御手段と、を備えた
ことを特徴とする弾球遊技機。
【発明の詳細な説明】
【技術分野】
【０００１】
本発明は、弾球遊技機等の遊技機に関する。
【背景技術】
【０００２】
一般に、パチンコ遊技機等の弾球遊技機には、ハンドル操作によって遊技球を発射する発射装置が設けられ、この発射装置によって発射された遊技球が特定入賞口（始動入賞口）を通過するのに応じて、可変表示装置に表示される特別図柄の変動（電子的な当否抽選）が開始される。そして、当否抽選の結果当選した場合には、可変表示装置に所定の特別図柄の組み合わせが表示され、遊技者にとって有利な大当たり遊技状態が生起される。大当たり遊技状態では、特別入賞口（大入賞口）が開閉して遊技球を受け入れるので、遊技者は多くの賞球を獲得することができる。
【０００３】
【特許文献１】特開２００２―２００２４３号公報
【特許文献２】実開平０５―９３４８３号公報
【発明の開示】
【発明が解決しようとする課題】
【０００４】
しかしながら、従来までの弾球遊技機は、遊技盤に設けられた電飾や可変表示装置を利用して演出を行うことにより遊技者の興味を引きつけて遊技性を高めているため、遊技を進めていくにつれて遊技者の興味が削がれてしまうことがあった。
【０００５】
本発明は、上記課題を解決するためになされたものであり、その目的は、視覚的に意外性のある演出やインパクトのある演出を行うことが可能な弾球遊技機を提供することにある。
【課題を解決するための手段】
【０００６】
上記目的を達成するため、本発明は、遊技盤の表面側に設けられる遊技領域に遊技球を発射して遊技する弾球遊技機であって、開口部と、第１凹面鏡部材と、第２凹面鏡部材と、表示対象物と、を備える。開口部は、遊技盤の表面側と裏面側とを連通する。第１凹面鏡部材は、凹状の第１放射鏡面と該第１放射鏡面の底部に形成された孔部とを有し、遊技機の裏面側に配置され、孔部が開口部と近接する位置で遊技盤に対して固定される。第２凹面鏡部材は、凹状の第２放射鏡面を有し、第１凹面鏡部材に対して近接した第１位置と離間した第２位置との間を移動自在に遊技盤の裏面側に設けられ、第１位置では第２放射鏡面が第１放射鏡面と相対向する。表示対象物は、第２凹面鏡部材の第２放射鏡面の底部に固定される。第１放射面鏡及び第２放射面鏡は、第２凹面鏡部材が第１位置にあるとき、遊技盤の表面側で且つ開口部の近傍の結像位置に表示対象物の像を写し出し、第２凹面鏡部材が第２位置にあるとき、結像位置に表示対象物の像を写し出さない。
【０００７】
ここで、前記第１放射鏡面は、例えば、椀形状（パラボラ形状を含む）からなる第１凹面鏡部材の前記孔部を除く内面全体を鏡とする態様を含む。
【０００８】
前記第２放射鏡面は、例えば、椀形状（パラボラ形状を含む）からなる第２凹面鏡部材の内面全体を鏡とする態様を含む。
【０００９】
前記第１放射鏡面の開口周縁が規定する口径と前記第２放射鏡面の開口周縁が規定する口径とを、ほぼ等しい大きさに設定してもよい。さらに、底部に孔部を形成しない状態の第１放射鏡面と第２放射鏡面とを、ほぼ同一の形状としてもよい。
【００１０】
前記近接には、僅かな隙間を有する非接触状態の他に、接触状態が含まれる。なお、この非接触状態では、密閉状態を確保するため、その隙間に例えば栓材などの密閉部材を介在させることが好適である。
【００１１】
前記開口部と近接する孔部は、孔そのものに加えて、第１凹面鏡部材の外表面における孔の周縁部分を含んでもよい。
【００１２】
前記相対向することには、第１放射鏡面の椀形状の中心部と第２放射鏡面の椀形状の中心部と、第１放射鏡面の開口周縁の中心部と、第２放射鏡面の開口周縁の中心部とがほぼ同一直線に配置され、且つ第１放射鏡面の開口周縁と第２放射鏡面の開口周縁とが近接する状態が含まれる。
【００１３】
上記構成では、第２凹面鏡部材が第１凹面鏡部材に対して近接した第１位置であるときにのみ、第１凹面鏡部材の孔部及び遊技盤の開口部を介して、表示対象物の立体像が遊技盤の盤面上の空間（結像位置）に写し出される。すなわち、遊技者は、表示対象物が遊技盤の開口部の前方に浮かび上がったが如く表示対象物の立体像を視ることができる。また、この状態で遊技球が遊技盤の開口部の前方を落下する場合には、遊技球が表示対象物の立体像を通り抜けるが如く遊技者に視せることが可能となる。従って、遊技盤に対して開口部と、第１凹面鏡部材及び第２凹面鏡部材とを設けることによって、意外性のある演出やインパクトのある演出を行うことが可能となり、視覚的効果の高い遊技演出を行うことができる。
【００１４】
また、表示対象物の立体像は、第２凹面鏡部材が第１凹面鏡部材に対して離間した第２位置から近接した第１位置へ移動することによって、遊技盤の盤面上に写し出され、又、近接した第１位置から離間した第２位置へ移動することによって、遊技盤の盤面上から消去することができる。従って、第２凹面鏡部材のみの移動という簡単な構成によって、表示対象物の立体像を遊技盤の盤面上に出没させることができる。
【００１５】
さらに、開口部と、第１凹面鏡部材及び第２凹面鏡部材とは、遊技盤に対して適宜な位置に設けることが可能である。従って、遊技盤の盤面上の一部又は複数の位置で表示対象物の立体像を写し出すことが可能なため、遊技の演出効果の向上を確実に図ることができる。
【００１６】
また、第２凹面鏡部材は、第１凹面鏡部材に対して移動自在に設けられているため、第２凹面鏡部材の底部に配置される表示対象物を容易に交換することができる。従って、
弾球遊技機の仕様変更等に対応して表示対象物を容易に変更することができる。
【００１７】
また、弾球遊技機は、第２凹面鏡部材の一端を、第１凹面鏡部材の一端に回転自在に連結すると共に、第２凹面鏡部材の一端を中心とした回転移動により第１位置と第２位置との間で移動させてもよい。
【００１８】
上記構成では、第２凹面鏡部材の一端は、第１凹面鏡部材の一端に対して回転自在に支持されているため、第２凹面鏡部材の第１位置と第２位置との間の移動を円滑、且つより簡単に行うことができる。従って、遊技盤の盤面上に表示対象物の立体像を写し出す状態と、写し出さない状態との選択的な切り換えを確実に行うことができる。
【００１９】
また、開口部を遊技機の進入を許容する入賞口としてもよい。
【００２０】
上記構成では、遊技盤の開口部の前方に表示対象物の立体像が写し出されている場合、遊技球はこの立体像を通り抜けて入賞口に入賞する。従って、遊技球が入賞口に入賞する際に、視覚的に意外性のある演出やインパクトのある演出を行うことが可能となり、さらに視覚的効果の高い遊技演出を行うことができる。
【００２１】
また、弾球遊技機は、第２凹面鏡部材を移動させる駆動手段と、駆動手段を制御する制御手段と、を備えてもよい。
【００２２】
上記構成では、第２凹面鏡部材の移動が制御手段によって制御される。すなわち、制御手段に対して任意の条件を設定することによって、所望のタイミングで表示対象物の立体像を遊技盤の盤面上に写し出すことが可能となる。従って、さらに意外性のある演出やインパクトのある演出を行うことができる。
【発明の効果】
【００２３】
本発明によれば、視覚的に意外性のある演出やインパクトのある演出を、簡単な構成によって行うことが可能となり、遊技の演出効果の向上を確実に図ることができる。
【発明を実施するための最良の形態】
【００２４】
以下、図面を参照して、遊技機設置営業店等の場所に設置され、遊技媒体（例えば、遊技球やメダル等）の供給に基づいて遊技者に遊技を行わせる遊技機（例えば、弾球遊技機や回胴式遊技機）の構成及び動作について説明する。
【００２５】
なお、本実施形態では、図１に示すような、現金等の対価を支払って遊技機設置営業店から遊技者が購入したプリペイドカードをプリペイドカードユニット（以下、ＣＲユニットと称す）１に読み込ませることにより、遊技に使用する遊技球を借り受ける形態下で遊技者が遊技する遊技機の構成及び動作について説明する。より具体的には、この遊技機は、図３に示すように、借り受けた遊技球が予め定められた始動入賞口である特定入賞口（入賞口）２に受け入れられ入賞状態になった時に電子的な当否抽選を行い、抽選の結果が当選の場合には、通常の遊技状態から遊技者にとって有利な遊技状態となるように、特別入賞口（大入賞口）３を遊技球が入賞し易い状態にする弾球遊技機（以下、遊技機と称す）である。但し、本発明は、本実施形態の遊技機に拘らず、例えば、風俗営業の適正化等の規制及び業務の適性化等に関する法律（風営適正化法）及び同法施行規則において、パチンコ遊技機又は回胴式遊技機として区分されているものについても適用可能である。
【００２６】
［遊技機の構造概略］
本実施形態の遊技機は、外部的構造として、外枠（木枠）４、本体部材（本体）５、開口枠扉６、遊技盤７、球受皿付き扉８、球受皿９、回動式操作ハンドル（球発射ハンドル）１０、球貸し関係操作部１１、及び球受皿９用の貯留球排出操作ボタン１２等をその前面側に備えている。また、この遊技機は、内部的構造として、主制御装置（制御手段）１３、副制御装置１４、遊技球払出装置１５、球貸信号制御装置１６、可動物制御装置１７、回収通路部材１８、貯留タンク（図示省略）、遊技球を払い出すときに用いる通路部材（図示省略）、及びその他、電源供給装置２１、発射制御装置２２、発射駆動装置２３、等をその後面側に備えている。
【００２７】
以下、図１〜図８を参照して、本実施形態の遊技機の構成を、外部的構造、内部的構造、遊技領域の構成、及び電気的構成の順に詳しく説明する。
【００２８】
〔外部的構造〕
始めに、本実施形態の遊技機の外部的構造について説明する。
【００２９】
前記外枠４は、遊技機設置営業店に設けられた設置場所（島設備等）へと固定させるための縦長方形状から成る木製の枠部材である。
【００３０】
前記本体部材５は、外枠４の内部に備えられ、ヒンジ部２６を介して外枠４に回動自在に装着された縦長方形状の遊技機基軸体となる部材である。本体部材５は、枠状に形成され、内側に空間部を有している。
【００３１】
前記開口枠扉６は、開閉自在となるように遊技機の前面側となる本体部材５の前面に対しヒンジ部２６を介して装着され、枠状に構成されることでその内側を開口部２７とした扉部材である。なお、この開口枠扉６には、開口部２７に対向してガラス製又は樹脂製の透明板部材２８が設けられ、さらに、開口部２７近傍には、電飾２９やスピーカ３０が取り付けられている。
【００３２】
前記遊技盤７は、その盤面上に遊技領域３１が区画形成され、本体部材５の空間部に望むように、所定の固定部材を用いて本体部材５に着脱自在に装着されている。
【００３３】
なお、遊技領域３１は、遊技盤７を本体部材５に装着した後、開口部２７から観察することができる。
【００３４】
前記球受皿付き扉８は、遊技機前面において本体部材５の下側に対して、ロック機能付きで且つ開閉自在となるように装着された扉部材である。なお、本実施形態では、球受皿付き扉８には以下の部材が取り付けられている。
（１）複数の遊技球が貯留可能で且つ、発射駆動装置２３へと遊技球を案内させる通路が設けられた球受皿９。
（２）発射駆動装置２３へと案内された遊技球を遊技盤７の盤面に設けられた遊技領域３１へと打ち出す操作を行う、遊技球の発射停止ボタン１０ａを備えた回動式操作ハンドル１０。
（３）プリペイドカード読み込み処理関係、及び遊技者が借り受ける遊技球（以下、貸球と称す）の貸し出し処理関係の指示を行うボタンを備えた球貸し関係操作部１１。
（４）球受皿９に貯留させた遊技球を遊技者が遊技球収集容器（俗称、ドル箱）へと排出させるための球受皿９用の貯留球排出操作ボタン１２。
【００３５】
〔内部的構造〕
次に、本実施形態の遊技機の内部的構造について説明する。
【００３６】
前記主制御装置１３は、本発明に係る制御手段として機能し、本体部材５若しくは遊技盤７又はこれらに備え付けられる支持部材等を介して設けられている。この主制御装置１３は、電気的な遊技制御の処理を行い、主要な処理情報を生成する。
【００３７】
前記副制御装置１４は、本体部材５若しくは遊技盤７又はこれらに備え付けられる支持部材等を介して設けられ、主制御装置１３が生成した処理情報に従って、所定の出力態様処理を実行させる制御を行う装置である。なお、詳しくは後述するが、副制御装置１４は、図柄制御装置１４ａ、ランプ制御装置１４ｂ、音声制御装置１４ｃ、及び払出制御装置１４ｄを有する。
【００３８】
前記遊技球払出装置１５は、予め定められた入賞条件が成立するのに応じて遊技利益として所定数の遊技球を払出す（以下、賞球と称す）駆動源を備えた装置である。
【００３９】
前記球貸信号制御装置１６は、プリペイドカード読み込み処理関係、及び貸球の貸し出し処理関係の制御を行う装置である。
【００４０】
前記可動物制御装置１７は、主制御装置１３が生成した処理情報に従って、遊技領域３１内に配設された複数の可動物（例えば、可動片４４、可動扉４５、入賞領域振分物、演出用移動物等）を作動状態にするための装置であり、複数の可動物に対応して個別に設けられている。なお、本実施形態の可動物制御装置１７は、可動片駆動装置、可動扉駆動装置、入賞領域振分駆動装置、及び演出用移動物駆動装置を有する。
【００４１】
前記回収通路部材１８は、回動式操作ハンドル１０によって遊技盤７の盤面に設けられた遊技領域３１へと打ち出された遊技球を遊技盤７の裏側へと回収する通路（俗称、集合樋）となる部材である。
【００４２】
前記遊技球を払い出す時に用いる通路部材は、球受皿９に賞球又は貸球を案内する通路となる部材である。
【００４３】
前記電源供給装置２１は、電源が投入されるのに応じて遊技機内の各制御装置に対して電力を供給する装置である。
【００４４】
前記発射制御装置２２は、回動式操作ハンドル１０を介して遊技球を遊技領域３１へと打ち出す操作が行われた時に、発射作動間隔（例えば、１分間に遊技球を１００球発射させるようにする等）の制御と、回動式操作ハンドル１０の回動量に応じた遊技球の発射強度の調整を行う装置である。
【００４５】
前記発射駆動装置２３は、発射制御装置２２による打ち出し制御に応じて、遊技球の打ち出し駆動部を作動させ、遊技球を遊技領域３１へと打ち出す装置である。
【００４６】
〔遊技領域の構成〕
次に、本実施形態の遊技機の遊技領域３１の構成について説明する。
【００４７】
前記遊技領域３１は、遊技球を滑走させるガイドレール３２と遊技球規制レール３３によって略円形状となるように遊技盤７の盤面上において区画形成され、回動式操作ハンドル１０によって打ち出された遊技球の移動範囲を規制する領域である。なお、遊技球規制レール３３は前記ガイドレール３２に連続的に接続するように構成され、ガイドレール３２と遊技球規制レール３３は全体として螺旋をなして遊技盤７の盤面に配設されている。
【００４８】
また、遊技領域３１内には、可変表示装置（特別図柄表示装置）３４、ＬＥＤ（Light Emitting Diode）表示装置３５、ステージ３６、所定入賞口（一般入賞口）３７、所定通過口（スルーチャッカー）３８，４６、アウト口３９、遊技釘（図示せず）、風車４０、特定保留数表示ランプ４１、通過保留数表示ランプ４２、演出用表示ランプ４３等が設けられている。
【００４９】
前記可変表示装置３４は、予め定められた条件が成立（例えば、予め定められた入賞口への遊技球の入賞等）するのに応じて実行される電子的な当否抽選の結果に従って、識別情報としての識別表示情報（例えば、図柄、キャラクタ、背景画像等）を可変表示させた後に停止表示する表示制御装置である。なお、この可変表示装置３４には、液晶表示装置（Liquid Crystal Display）、ドラム式表示装置、ドットマトリクス表示装置、７セグ表示装置、ＥＬ（ElectroLuminescence）表示装置等の表示装置を適用することができる。
【００５０】
前記ＬＥＤ表示装置３５は、遊技者への様々な情報をＬＥＤにより表示する装置であり、例えば、予め定められた条件が成立（例えば、予め定められた通過口への遊技球の通過等）するのに応じて実行される電子的な当否抽選の結果に従って、識別情報としての識別点灯情報をＬＥＤにより可変表示させた後に停止表示する。
【００５１】
前記ステージ３６は、可変表示装置３４の下方において遊技球を一時的に滞在状態とし、その後、遊技球の落下を許容する踊り場部を備えた構造物である。
【００５２】
前記所定入賞口３７は、遊技領域３１内における適宜な位置に複数設けられ、落下してくる遊技球を受け入れる開口部を備えた構造物である。なお、特定入賞口２及び特別入賞口３もこの所定入賞口３７に含まれる。
【００５３】
ここで、前記特定入賞口２とは、複数の入賞口の何れかであって、入賞口の開口範囲の拡縮を行わせる電動式の可動片４４を備え、遊技球９７が入賞口に入賞するのに応じて、可変表示装置３４に識別表示情報を可変表示させると共に、遊技者に賞球を獲得させる入賞口である。
【００５４】
また、図８に示すように、特定入賞口本体２ａは、取付基盤５５と、進入口５６と、排出口５７とを有する。取付基盤５５は、後述する遊技盤７の遊技領域３１に形成された第２開口部５３より僅かに大きい略矩形状からなり、遊技盤７の表面に対しビス等により固定されている。また、かかる状態において、取付基盤５５は第２開口部５３を前方から塞ぐ。進入口５６は、遊技盤７の表面から突出する特定入賞口本体２ａの上方に形成され、遊技盤７の遊技領域３１を落下する遊技球９７を捕集する。排出口５７は、遊技盤７の裏面から突出する特定入賞口本体２ａの下方に形成され、進入口５６から進入した遊技球９７を遊技盤７の裏面側に排出する。
【００５５】
また、前記特別入賞口３とは、複数の入賞口の何れかであって、入賞口を露出させる開口状態と入賞口を閉鎖する閉口状態を生成する電動式の可動扉４５を備え、遊技球が入賞口に入賞するのに応じて、他の入賞口と比較して多くの賞球を遊技者に獲得させる入賞口である。なお、以下では、特定入賞口２及び特別入賞口３以外の複数の所定入賞口３７をその他入賞口３７と称する。
【００５６】
前記所定通過口３８，４６は、遊技領域３１内における適宜な位置に所定数設けられ、落下してくる遊技球を通過させるゲートを備えた構造物である。
【００５７】
前記アウト口３９は、所定入賞口３７の何れにも入ることがなかった遊技球を集束する位置に設けられた遊技球の回収開口部である。
【００５８】
前記遊技釘は、遊技球と接触させることにより遊技球の移動方向を不規則にする、若しくは遊技球の移動方向を規制するために、遊技盤７の盤面の適宜な位置に打ち込まれる複数の棒状部材である。
【００５９】
前記風車４０は、遊技球の接触によって自転可能な回転部材である。
【００６０】
前記特定保留数表示ランプ４１は、前記特定入賞口２への入賞後の可変表示開始に係る保留状態を点灯又は消灯により報知する発光装置である。
【００６１】
前記通過保留数表示ランプ４２は、前記所定通過口３８への通過達成後の可変表示開始に係る保留状態を点灯又は消灯により報知する発光装置である。
【００６２】
前記演出用表示ランプ４３は、電源投入後の遊技状態の変化に応じて多彩な点灯態様とする発光装置である。
【００６３】
図８に示すように、第１の実施形態に係る遊技盤７の遊技領域３１の所定位置には、その表面側と裏面側とを連通する開口領域５０が略縦長方状に形成されている。
【００６４】
開口領域５０は、仕切部５１と、第１開口部５２と、第２開口部５３とを有する。仕切部５１は、開口領域５０の高さ方向の略中央よりもやや下方の位置に形成され、開口領域５０を上下に二分する。第１開口部５２は、仕切部５１の上方で略矩形状に形成される。また、第１開口部５２の上方の端縁と下方の端縁との間には、遊技盤７の表面側から裏面側への遊技球９７の進入を阻止する遊技球進入防止線５４（例えば、ピアノ線）が遊技球９７の直径より小さい間隔で複数設けられている。第２開口部５３は、仕切部５１の下方で略矩形状に形成される。なお、第１開口部５２の開口面積を所定の大きさに設定することによって、後述する第２凹面鏡部材６１に取り付けられる表示対象物９５には遊技盤７の前方からの室内照明等の光がこの第１開口部５２を介して適度に照射され、これにより、表示対象物９５の照度が確保される。
【００６５】
図６から図８に示すように、第１の実施形態に係る遊技盤７の遊技領域３１の裏面側には、第１凹面鏡部材６０と、第２凹面鏡部材６１と、支持部材６２と、第１凹面鏡部材固定用部材６３と、駆動装置固定用部材６４と、駆動装置（駆動手段）６５とが配置されている。
【００６６】
第１凹面鏡部材６０は、鏡面となるその内側面が開放された略椀形状（放物線を回転させた形状）からなり、第１放射鏡面７０と、第１凹面鏡部材６０の底部に形成される孔部７１と、ヒンジ部７２と、固定片７３とを有する。また、第１凹面鏡部材６０は、その内側面が後方に向かって開放されると共に、その外形方向が遊技盤７の裏面と略平行して配置されている。
【００６７】
第１放射鏡面７０は、第１凹面鏡部材６０の内側面の全域にわたって凹状に形成され、光を放射状に反射させる。孔部７１は、第１放射鏡面７０の開口周縁の中心部と同芯で且つ、第１凹面鏡部材６０の底部に形成された略円形状の開口であり、遊技盤７に形成された第１開口部５２の幅方向の大きさより僅かに小さい外形寸法を有する。開口周縁上端部に設けたヒンジ部７２と開口周縁下端部に設けた固定片７３とは、それぞれ第１凹面鏡部材６０の端部から外形方向へ対向して突出する。ヒンジ部７２の先端部には、後述する軸９０が貫通する複数の軸筒（図示省略）が形成されている。固定片７３は、後述する第１凹面鏡部材固定用部材６３が貫通する支持部材挿通用孔７４を有する。なお、孔部７１の大きさを第１開口部５２の幅方向の大きさより僅かに小さい外形寸法に設定することによって、後述する第２凹面鏡部材６１に取り付けられる表示対象物９５には、遊技盤７の前方からの室内照明等の光が遊技盤７の第１開口部５２及びこの孔部７１を介して適度に照射され、これにより、表示対象物９５の照度が確保される。
【００６８】
第２凹面鏡部材６１は、第１凹面鏡部材６０と略同一形状からなり、鏡面となる第２放射鏡面７６と、ヒンジ部７７と、把持部７８と、表示対象物取付部７９とを有する。
【００６９】
第２放射鏡面７６は、第２凹面鏡部材６１の内側面の全域にわたり、第１凹面鏡部材６０の第１放射鏡面７０と同一の曲率で凹状に形成され、光を放射状に反射させる。開口周縁上端部に設けたヒンジ部７７と開口周縁側端部に設けた把持部７８とは、それぞれ第２凹面鏡部材６１の端部から外形方向へ直交して突出する。ヒンジ部７７は、第１凹面鏡部材６０の端部から突出するヒンジ部７２と略同一の突出量を有し、その先端部には、後述する軸９０が貫通する複数の軸筒（図示省略）が形成されている。把持部７８は、断面略コ字形状からなり、後述するの駆動装置６５のプランジャ８１の先端部８３と係合する。表示対象物取付部７９は、略棒形状からなり、第２凹面鏡部材６１の内側面の底部から上方に突出する。また、その先端部には、表示対象物９５を固定するボルト挿通用孔（図示省略）が形成されている。表示対象物９５は、その裏側に形成されたボルト挿通用孔（図示省略）及び表示対象物取付部７９のボルト挿通用孔のそれぞれにボルトを挿通し、ナット（図示省略）を蝶合して締め込むことにより第２凹面鏡部材６１の内側面の底部に対して固定されている。なお、表示対象物９５は、第１凹面鏡部材６０と第２凹面鏡部材６１とが遊技盤７の裏面側に配置された状態において、遊技盤７の第１開口部５２及び第１凹面鏡部材６０の孔部７１を介して室内照明等の光が良好に照射される。
【００７０】
支持部材６２は、断面略Ｌ字形状からなり、ヒンジ部８５を有する。ヒンジ部８５は、支持部材６２の一端の先端部に形成され、後述する軸９０が貫通する複数の軸筒（図示省略）を有する。また、支持部材６２の他端側は、遊技盤７の裏面の所定位置に対してビス等により固定されている。第１凹面鏡部材６０及び第２凹面鏡部材６１は、支持部材６２のヒンジ部８５に形成される軸筒と、第１凹面鏡部材６０のヒンジ部７２に形成される軸筒と、第２凹面鏡部材６１のヒンジ部７７に形成される軸筒とのそれぞれにピン等の軸９０を挿通することにより、支持部材６２に対して回転自在に支持される。また、第１凹面鏡部材６０と第２凹面鏡部材６１とが当接した状態（相対向となる状態）において、それぞれの端縁面は全域にわたって相互に接触する。
【００７１】
第１凹面鏡部材固定用部材６３は、略棒形状からなり、その外周には全域にわたってねじ山が形成されている。遊技盤７の裏面の所定位置には、第１凹面鏡部材固定用部材６３と螺合されるねじ山（図示省略）が形成され、このねじ山に対し第１凹面鏡部材固定用部材６３の一端を締め込むことにより、第１凹面鏡部材固定用部材６３が遊技盤７の裏面から後方に突出して固定される。また、第１凹面鏡部材固定用部材６３の他端の所定位置に予め第１ナット９１を取り付けた状態で、この第１凹面鏡部材固定用部材６３を第１凹面鏡部材６０の固定片７３に形成された支持部材挿通用孔７４に挿通し、第２ナット９２を蝶合する。この第２ナット９２を締め込むことにより、第１ナット９１と第２ナット９２との間で、第１凹面鏡部材６０の固定片７３が締め付けられ固定される。これにより、支持部材６２によって回転自在に支持される第１凹面鏡部材６０は、遊技盤７に対して固定される。かかる状態では、第１凹面鏡部材６０の孔部７１は、遊技盤７に形成された第１開口部５２に近接する。なお、第１凹面鏡部材６０の設置角度は、第１凹面鏡部材固定用部材６３に取り付けられる第１ナット９１及び第２ナット９２を前後方向の所望の位置に移動することによって、容易に変更することが可能である。
【００７２】
駆動装置固定用部材６４は、断面略Ｌ字形状からなり、その一端側が遊技盤７の裏面に対して固定された第１凹面鏡部材６０の側方側で、且つ遊技盤７の裏面の所定位置に対してビス等により固定されている。
【００７３】
駆動装置６５は、ソレノイド等の駆動部８０と、可動部であるプランジャ８１と、コイルスプリング（図示省略）とを有する。駆動部８０は、駆動方向が前後方向の向きとなるように駆動装置固定用部材６４に対しビス等により固定されている。プランジャ８１は、駆動部８０から突出する略円柱形状の軸部８２と、該軸部８２の外径より大きな略円盤形状の掛かり部としての先端部８３とを有し、一体的に形成されている。この先端部８３は、第２凹面鏡部材６１の把持部７８に形成される間隙に挿入されることで係合する。コイルスプリングは、プランジャ８１の軸部８２の周囲に圧縮された状態で取付けられている。
【００７４】
駆動装置６５の駆動部８０は、後述する主制御装置１３が生成した処理情報に従って作動する。駆動部８０が励磁された状態では、プランジャ８１が駆動部８０の内側に引き込まれて保持される。また、非励磁状態では、コイルスプリングの付勢力によりプランジャ８１が突出して保持される。
【００７５】
次に、図８を参照して、第２凹面鏡部材６１の移動に伴い遊技盤７の第１開口部５２の前方の空間（結像位置）に写し出される表示対象物９５の立体像９６について説明する。図８は、遊技盤７の縦断面となる要部拡大側面図であり、（ａ）は第２凹面鏡部材６１が第１凹面鏡部材６０に対して当接した第１位置にある状態を示し、（ｂ）は第２凹面鏡部材６１が第１凹面鏡部材６０に対して離間した第２位置にある状態を示す図である。
【００７６】
図８（ａ）に示すように、駆動装置６５の駆動部８０が非励磁状態から励磁状態に移行すると、駆動装置６５のプランジャ８１がコイルスプリングを圧縮する方向（前方方向）へ移動し、駆動装置６５の先端部８３と第２凹面鏡部材６１の把持部７８とが係合しているため、これに伴い支持部材６２によって回転自在に支持される第２凹面鏡部材６１が、遊技盤７に対して固定される第１凹面鏡部材６０に向かって回転移動する。これにより、第２凹面鏡部材６１の開口周縁は、第１凹面鏡部材６０の開口周縁に対して当接し、それぞれの内側面に形成された第１放射鏡面７０（図７に示す）と第２放射鏡面７６（図７に示す）とが対向する第１位置となる。第２凹面鏡部材６１がこの第１位置に移動すると、第１凹面鏡部材６０と第２凹面鏡部材６１との間には密閉された空間が形成され、遊技盤７の第１開口部５２及び第１凹面鏡部材６０の孔部７１を介して入射した室内照明等の光が第２凹面鏡部材６１の底部に取り付けられた表示対象物９５に達し、この表示対象物９５の照度は向上する。そして、表示対象物９５（図７に示す）からの反射光が第１放射鏡面７０と第２放射鏡面７６との間で各１回ずつ反射されることにより、第１凹面鏡部材６０の孔部７１及び遊技盤７の第１開口部５２を介して、表示対象物９５の立体像９６が遊技盤７の盤面上の空間（結像位置）に結像される。
【００７７】
また、図８（ｂ）に示すように、駆動装置６５の駆動部８０が励磁状態から非励磁状態に移行すると、駆動装置６５のプランジャ８０がコイルスプリングに付勢され、駆動装置６５の先端部８３と第２凹面鏡部材６１の把持部７８とが係合しているため、これに伴い第２凹面鏡部材６１が後方に向かって回転移動する。これにより、第２凹面鏡部材６１は、第１凹面鏡部材６０から離間し、第１放射鏡面７０と第２放射鏡面７６との対向状態が解除される第２位置となる。第２凹面鏡部材６１がこの第２位置に移動すると、表示対象物９５に照射された光の反射光は、第１放射鏡面７０と第２放射鏡面との間において良好に反射されないため、遊技盤７の盤面上の空間に表示対象物９５の立体像９６を結像させることが困難若しくは不可能になる。
【００７８】
このように、第２凹面鏡部材６１が第１位置と第２位置との間を移動することによって、遊技盤７の盤面上の空間に表示対象物９５の立体像９６を突然表示させたり又は消したりすることが可能となる。また、遊技盤７の第１開口部５２の前方の空間に表示対象物９５の立体像９６が写し出されている状態において、遊技球９７がこの立体像９６の下方に配置される特定入賞口２の進入口５６に向かって落下する場合には、遊技球９７が表示対象物９５の立体像９６を通り抜けるが如く遊技者に視せることができる。なお、第１凹面鏡部材６０は、目の高さが相違する全ての遊技者が遊技盤７の盤面上に結像される表示対象物９５の立体像９６を視認することが可能な適切な角度で設置されている。
〔電気的構成〕
次に、本実施形態の遊技機の電気的構成について説明する。
【００７９】
本実施形態となる遊技機は、電気的構成として、ＣＲユニット１、主制御装置１３、副制御装置１４、球貸信号制御装置１６、可動物制御装置１７、電源供給装置２１、発射制御装置２２、発射駆動装置２３、検知センサ４７、集中管理装置４８等を備える。なお、ＣＲユニット１、球貸信号制御装置１６、可動物制御装置１７、電源供給装置２１、発射制御装置２２、及び発射駆動装置２３の構成は上述の通りであるので、以下ではその説明を省略する。
【００８０】
前記主制御装置１３は、ＣＰＵ（Central Processing Unit：中央命令処理部）１３ａ、予め定められた制御プログラム（コンピュータプログラム）を格納するＲＯＭ（Read Only Memory：書換不可記憶部）１３ｂ、生成された処理情報の一時記憶及び記憶した情報の削除を行うＲＡＭ（Random Access Memory：書換可能記憶部）１３ｃ、周期的な信号を発生させる周波数発生回路部１３ｄ等により構成され、遊技機内における主要な情報処理を行うと共に、副制御装置１４に入力する処理情報を生成する装置である。
【００８１】
前記副制御装置１４は、図柄制御装置１４ａ、ランプ制御装置１４ｂ、音声制御装置１４ｃ、払出制御装置１４ｄ、及び駆動部制御装置（制御手段）１４ｅにより構成され、主制御装置１３が生成した処理情報に従って所定の出力態様処理を行う。なお、副制御装置１４は、出力態様処理毎の装置として構成しても、各出力態様処理を複数組み合わせて構成してもよい。また、副制御装置１４を構成する各制御装置は、処理情報に従って独立して処理を実行可能なように、内部にＣＰＵ，ＲＯＭ，ＲＡＭを備える。
【００８２】
ここで、前記図柄制御装置１４ａは、主制御装置１３が生成した処理情報に従って、ビデオ・ディスプレイ・プロセッサ（ＶＤＰ）５９を介して可変表示装置３４、又はＬＥＤ表示装置３５を制御することにより、識別点灯情報又は識別表示情報を変動表示させた後に停止表示する制御を行う装置である。
【００８３】
前記ランプ制御装置１４ｂは、主制御装置１３が生成した処理情報に従って、開口枠扉６の電飾２９（演出報知ランプ、払出ランプ、トラブルランプを含む）や遊技領域３１内に設けられた演出用表示ランプ（電飾）４３、又は特定保留数表示ランプ４１、通過保留数表示ランプ４２等を点灯制御する装置である。なお、特定保留数表示ランプ４１又は通過保留数表示ランプ４２が表す情報は可変表示装置３４による識別表示情報として報知してもよい。
【００８４】
前記音声制御装置１４ｃは、主制御装置１３が生成した処理情報に従ってスピーカ３０やサウンドプロセッサ等の音声発生装置５８を制御して音声を発生させる装置である。
【００８５】
前記払出制御装置１４ｄは、主制御装置１３が生成した処理情報に従って、遊技球払出装置１５により所定数の賞球を払出す制御を行う装置である。また、前記払出制御装置１４ｄは、主制御装置１３が生成した処理情報に従って、球貸信号制御装置１６を介して、ＣＲユニット１に読み込ませたプリペイドカードに格納したデータ情報を参照して、所定数の貸球を払出す制御を行うと共に、貸球の払出し個数を計数して管理をする装置である。
【００８６】
前記駆動部制御装置１４ｅは、主制御装置１３が生成した情報に従って、駆動装置６５を制御して遊技盤７に形成された第１開口部５２の前方の空間に表示対象物９５の立体像９６を写し出すための装置である。本実施形態では、可変表示装置３４に特別図柄の表示結果を導出表示する前に行われる電子的な当否抽選の結果が、主制御装置１３によりリーチ状態、大当たりなどの特定の遊技状態（以下、特定遊技状態と称す）と判定されたときに、駆動部制御装置１４ｅは、駆動装置６５に対して駆動指令信号を出力し、この信号に応じて駆動装置６５の駆動部８０が励磁される。これにより、遊技盤７に形成された第１開口部５２の前方の空間には、表示対象物９５の立体像９６が写し出され、予め遊技者に対して特定遊技状態の発生する旨が事前に報知される。ここでリーチ状態とは、特別図柄を個別に可変表示させる複数の表示領域からなる画面において、複数の表示領域の一部がまだ表示結果を導出表示していない状態であって、且つ導出表示されている複数の表示領域の表示結果が当たり停止表示の態様の条件を満たしている状態をいう。なお、駆動部制御装置１４ｅから出力される駆動指令信号は、電子的な当否抽選の結果が、特定遊技状態となったときに限られず、例えば、可変表示装置３４の表示画面上においてリーチ状態となったときなど、所定のタイミングで出力してもよい。
【００８７】
前記検知センサ４７は、特定入賞球検知センサ４７ａ、特別入賞球検知センサ４７ｂ、入賞特定領域検知センサ４７ｃ、通過球検知センサ４７ｄ、その他入賞球検知センサ４７ｅ、遊技球払出検知センサ４７ｆ、及びエラー検知センサ４７ｇにより構成される。そして、各検知センサはそれぞれ、特定入賞口２、特別入賞口３、入賞特定領域（例えば、特別入賞口３の略中央部より右側領域）、所定通過口３８，４６、その他入賞口３７、遊技球を払い出すときに用いる通路部材、及び球詰まりが発生し易い球通路部材４９の球通路４９ａ近傍に設けられ、各場所における遊技球の通過の有無を検知する。
【００８８】
前記集中管理装置４８は、主制御装置１３が生成した処理情報を遊技機の外部において管理する装置である。
【００８９】
以上説明したように、本実施形態によれば、第２凹面鏡部材６１が第１凹面鏡部材６０に対して近接した第１位置であるときにのみ、第１凹面鏡部材６０の孔部７１及び遊技盤７の第１開口部５２を介して、表示対象物９５の立体像９６が遊技盤７の盤面上の空間（結像位置）に写し出される。すなわち、遊技者は、表示対象物９５が遊技盤７の第１開口部５２の前方に浮かび上がったが如く表示対象物９５の立体像９６を視ることができる。また、この状態で遊技球９７が遊技盤７の第１開口部５２の前方を落下する場合には、遊技球９７が表示対象物９５の立体像９６を通り抜けるが如く遊技者に視せることが可能となる。従って、遊技盤７に対して第１開口部５２と、第１凹面鏡部材６０及び第２凹面鏡部材６１とを設けることによって、意外性のある演出やインパクトのある演出を行うことが可能となり、視覚的効果の高い遊技演出を行うことができる。
【００９０】
また、表示対象物９５の立体像９６は、第２凹面鏡部材６１が第１凹面鏡部材６０に対して離間した第１位置から近接した第２位置へ移動することによって、遊技盤７の盤面上に写し出される。従って、第２凹面鏡部材６１のみの移動という簡単な構成によって、表示対象物９５の立体像９６を遊技盤７の盤面上に写し出すことができる。
【００９１】
さらに、第１開口部５２と、第１凹面鏡部材６０及び第２凹面鏡部材６１とは、遊技盤７に対して適宜な位置に設けることが可能である。従って、遊技盤７の盤面上の一部又は複数の位置で表示対象物９５の立体像９６を写し出すことが可能なため、遊技の演出効果の向上を確実に図ることができる。
【００９２】
また、第２凹面鏡部材６１は、第１凹面鏡部材６０に対して移動自在に設けられているため、第２凹面鏡部材６１の底部に配置される表示対象物９５を容易に交換することができる。従って、弾球遊技機の仕様変更等に対応して表示対象物９５を容易に変更することができる。
【００９３】
第２凹面鏡部材６１のヒンジ部７７は、支持部材６２によって回転自在に支持されているため、第２凹面鏡部材６１の第１位置と第２位置との間の移動を円滑、且つより簡単に行うことができる。従って、遊技盤７の盤面上に表示対象物９５の立体像９６を写し出す状態と、写し出さない状態との選択的な切り換えを確実に行うことができる。
【００９４】
遊技盤７の第１開口部５２の前方に表示対象物９５の立体像９６が写し出されている場合、遊技球９７はこの立体像９６を通り抜けて特定入賞口２に入賞する。従って、遊技球９６が特定入賞口２に入賞する際に、視覚的に意外性のある演出やインパクトのある演出を行うことが可能となり、さらに視覚的効果の高い遊技演出を行うことができる。
【００９５】
第２凹面鏡部材６１の移動は、駆動装置６５を介し、主制御装置１３及び駆動部制御装置１４ｅによって制御される。すなわち、主制御装置１３及び駆動部制御装置１４ｅに対して任意の条件を設定することによって、所望のタイミングで表示対象物９５の立体像９６を遊技盤７の盤面上に写し出すことが可能となる。従って、さらに意外性のある演出やインパクトのある演出を行うことができる。
【００９６】
なお、本実施形態では、表示対象物９５の照度は、遊技盤７の第１開口部５２及び第１凹面鏡部材６０の孔部７１を介して入射する室内照明等の光によって確保したが、遊技盤７の裏面側にランプ等の照明手段を配置し、第２凹面鏡部材６１が第２位置から第１位置へ移動するのに伴って、この照明手段から表示対象物９５に対して光を照射させてもよい。
【００９７】
また、本実施形態では、遊技盤７の第２開口部５３に特定入賞口２を設けたが、本発明はこれに限られず、その他の入賞口、例えば、特別入賞口３にも適用が可能である。
〔その他の実施形態〕
本発明に係る第２の実施形態の弾球遊技機について図９に基づいて説明する。
【００９８】
図９に示すように、第２の実施形態では、上述した第１の実施形態の第１開口部５２と第２開口部５３とが一体となった開口部９９が遊技盤７に形成されている。この開口部９９は、特定入賞口２の取付用の開口を上方に延長して形成されており、表示対象物９５の立体像９６は、この延長された開口を介して遊技盤７の盤面上の空間に写し出される。すなわち、上述した第１の実施形態と図９に示す第２の実施形態とは、遊技盤７に形成される開口の態様が相違し、他の構成については同様の構成を有する。従って、以下、同一番号を付して第１の実施形態と相違する構成についてのみ説明する。
【００９９】
遊技盤７の遊技領域３１の所定位置には、その表面側と裏面側とを連通する開口部９９が略縦長方形状に形成されている。開口部９９の下方には特定入賞口２がビス等により固定されている。特定入賞口２が取り付けられる開口部９９の下方の部分を除き、開口部９９の両側方のそれぞれの端縁の間には、遊技盤７の表面側から裏面側への遊技球９７の進入を阻止する遊技球進入防止線５４が遊技球９７の直径より小さい間隔で複数設けられている。なお、開口部９９の開口面積は、遊技盤７の遊技領域３１においてレイアウト上許容可能な範囲で大きく設定することが可能である。
【０１００】
第１凹面鏡部材６０に形成されるヒンジ部７２と固定片７３とは、それぞれ第１凹面鏡部材６０の端部から外形方向へ直交して突出する。
【０１０１】
第１凹面鏡部材固定用部材６３は、固定片７３の支持部材挿通用孔７４に対応して遊技盤７の裏面に形成されたねじ山に対し、その一端を締め込むことにより遊技盤７の裏面から突出して固定される。
【０１０２】
なお、上述した第１の実施形態と同様に、表示対象物９５の照度を確保するため、遊技盤７の裏面側にランプ等の照明手段を配置し、第２凹面鏡部材６１が第２位置から第１位置へ移動するのに伴って、この照明手段から表示対象物９５に対して光を照射させてもよい。
【０１０３】
また、本実施形態では、開口部９９に特定入賞口２を設けたが、上述した第１の実施形態と同様に、特別入賞口３などのその他の入賞口にも適用が可能である。
【０１０４】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【０１０５】
【図１】本発明の実施形態となる遊技機の外観斜視図である。
【図２】図１に示す遊技機の前面斜視図ある。
【図３】図１に示す遊技機の分解斜視図である。
【図４】図１に示す遊技機の分解斜視図である。
【図５】図１に示す遊技機の電気的構成を示すブロック図である。
【図６】第１凹面鏡部材及び第２凹面鏡部材の断面図ある。
【図７】第１凹面鏡部材及び第２凹面鏡部材の斜視図ある。
【図８】第１の実施形態に係る遊技盤の縦断面となる要部拡大側面図であり、（ａ）は第２凹面鏡部材が第１位置にある状態を示し、（ｂ）は第２凹面鏡部材が第２位置にある状態を示したものである。
【図９】第２の実施形態に係る遊技盤の裏面側の要部拡大側面図である。
【符号の説明】
【０１０６】
２…特定入賞口（入賞口）、７…遊技盤、１３…主制御装置（制御手段）、１３ａ…ＣＰＵ、１３ｂ…ＲＯＭ、１３ｃ…ＲＡＭ、１４…副制御装置、１４ｅ…駆動部制御装置（制御手段）、２１…電源供給装置、３１…遊技領域、３４…可変表示装置、３５…ＬＥＤ表示装置、４６…所定通過口、４７ｄ…通過球検知センサ、５０…開口領域、５２…第１開口部（開口部）、５３…第２開口部、６０…第１凹面鏡部材、６１…第２凹面鏡部材、６５…駆動装置（駆動手段）、７０…第１放射鏡面、７１…孔部、７６…第２放射鏡面、９５…表示対象物、９６…立体像（像）、９９…開口部
【図１】
2006223423.tif 000003
【図２】
2006223423.tif 000004
【図３】
2006223423.tif 000005
【図４】
2006223423.tif 000006
【図５】
2006223423.tif 000007
【図６】
2006223423.tif 000008
【図７】
2006223423.tif 000009
【図８】
2006223423.tif 000010
【図９】
2006223423.tif 000011